(57)【要約】      （修正有）【課題】無線通信システムにおいて、２つの電波インタフェースの間での競合を解決する。【解決手段】第１電波インタフェース上で通信し、第２電波インタフェース上での通信における同時使用のためのリソースの要求を受信すると、前記第１電波インタフェースのためのリソースと、前記第２電波インタフェースのために要求されたリソースの少なくとも一部との間に競合がないことを判定し、前記第１電波インタフェースのためのリソースを用いて、前記第１電波インタフェース上で通信すると同時に、前記第２電波インタフェースのために要求されたリソースの少なくとも一部を用いて、前記第２電波インタフェース上で通信する。【選択図】図５
2014042280.tif 000002
【特許請求の範囲】
【請求項１】
２つの電波インタフェースの間での競合を解決する方法であって、
第１電波インタフェース上で通信することと、
第２電波インタフェース上での通信における同時使用のためのリソースの要求を受信することと、
前記第１電波インタフェースのためのリソースと、前記第２電波インタフェースのために要求されたリソースの少なくとも一部との間に競合がないことを判定することと、
前記第１電波インタフェースのためのリソースを用いて前記第１電波インタフェース上で通信すると同時に、前記第２電波インタフェースのために要求されたリソースの少なくとも一部を用いて前記第２電波インタフェース上で通信することとを具備する方法。
【請求項２】
前記第１電波インタフェースは音声トラフィックをサポートし、前記第２電波インタフェースはデータトラフィックをサポートする請求項１記載の方法。
【請求項３】
前記第１電波インタフェースは音声インタフェースであり、前記第２電波インタフェースはデータのみのインタフェースである請求項１記載の方法。
【請求項４】
前記リソースの要求は、トラフィックチャネルの割り当て、ハンドオフのための命令、周波数サーチを行うための命令、コールリダイレクション命令、データトラフィックを受信又は送信するための要求の内の少なくとも１つを含む請求項１記載の方法。
【請求項５】
前記要求されたリソースは、ハードウェアリソース、無線周波数リソース、又は電力リソースの内の少なくとも１つを含む請求項１記載の方法。
【請求項６】
前記要求されたリソースは、メモリのメモリ空間、プロセッサの処理能力、又は１以上のバスの帯域幅の内の少なくとも１つを含む請求項５記載の方法。
【請求項７】
前記要求されたリソースは、受信器連鎖要素、送信器連鎖要素、アンテナ、又は周波数割当ての内の少なくとも１つを含む請求項５記載の方法。
【請求項８】
前記要求されたリソースは、バッテリ電力又は利用可能な送信電力の内の少なくとも１つを含む請求項５記載の方法。
【請求項９】
２つの電波インタフェースの間の競合を解決する方法であって、
第１周波数で通信することと、
１以上の第２周波数を示すデータを受信することと、
前記１以上の第２周波数の内のいずれが前記第１周波数の所定の帯域幅内にあるかを決定することと、
前記第１周波数と、前記決定された第２周波数の内の少なくとも一部とで同時に通信することとを具備する方法。
【請求項１０】
前記決定された第２周波数の内の少なくとも１つを選択することをさらに具備し、前記決定された第２周波数の内の少なくとも一部で通信することは、前記選択された第２周波数で通信することを含む請求項９記載の方法。
【請求項１１】
２つの電波インタフェースの間の競合を解決するための装置であって、
第１電波インタフェース上で通信するように構成されるトランシーバと、
第２電波インタフェース上での通信における同時使用のためのリソースの要求を受信し、前記第１電波インタフェースのためのリソースと、前記第２電波インタフェースのために要求されたリソースの少なくとも一部との間で競合がないことを判定するように構成されるプロセッサとを具備し、
前記トランシーバはさらに、前記第１電波インタフェースのためのリソースを用いて前記第１電波インタフェース上で通信すると同時に、前記第２電波インタフェースのために要求されたリソースの少なくとも一部を用いて前記第２電波インタフェース上で通信するように構成されるシステム。
【請求項１２】
前記トランシーバは、前記第１電波インタフェース上で通信するように構成される第１トランシーバと、前記第２電波インタフェース上で通信するように構成される第２トランシーバとを含む請求項１１記載の装置。
【請求項１３】
前記プロセッサは、前記プロセッサ、アンテナ、トランシーバ、モデム、又は入力デバイスの内の少なくとも１つのためのリソースの要求を受信するように構成される請求項１１記載の装置。
【請求項１４】
前記トランシーバは、前記第１又は第２電波インタフェース上で通信するため、プロセッサによって構成される請求項１１記載の装置。
【請求項１５】
前記トランシーバは、第１周波数の前記第１電波インタフェース上で通信するように構成され、前記第１周波数の所定の帯域幅内の第２周波数の前記第２電波インタフェース上で通信するように構成される請求項１１記載の装置。
【請求項１６】
前記プロセッサは、前記第２電波インタフェース上での通信に先立って、第２周波数が前記第１周波数の所定の帯域幅内にあるか否かを判定するように構成される請求項１５記載の装置。
【請求項１７】
前記第１電波インタフェースは音声トラフィックをサポートし、前記第２電波インタフェースはデータトラフィックをサポートする請求項１１記載の装置。
【請求項１８】
前記第１電波インタフェースは音声インタフェースであり、前記第２電波インタフェースはデータのみのインタフェースである請求項１１記載の装置。
【請求項１９】
前記リソースの要求は、トラフィックチャネルの割り当て、ハンドオフのための命令、周波数サーチを行うための命令、コールリダイレクション命令、データトラフィックを受信又は送信するための要求の内の少なくとも１つを含む請求項１１記載の装置。
【請求項２０】
前記要求されたリソースは、ハードウェアリソース、無線周波数リソース、又は電力リソースの内の少なくとも１つを含む請求項１１記載の装置。
【請求項２１】
前記要求されたリソースは、メモリのメモリ空間、プロセッサの処理能力、又は１以上のバスの帯域幅の内の少なくとも１つを含む請求項２０記載の装置。
【請求項２２】
前記要求されたリソースは、受信器連鎖要素、送信器連鎖要素、アンテナ、又は周波数割当ての内の少なくとも１つを含む請求項２０記載の装置。
【請求項２３】
前記要求されたリソースは、バッテリ電力又は利用可能な送信電力の内の少なくとも１つを含む請求項２０記載の装置。
【請求項２４】
２つの電波インタフェースの間の競合を解決するための装置であって、
第１電波インタフェース上で通信するための手段と、
第２電波インタフェース上での通信における同時使用のためのリソースの要求を受信するための手段と、
前記第１電波インタフェースのためのリソースと、前記第２電波インタフェースのために要求されたリソースの少なくとも一部との間に競合がないことを判定するための手段と、
前記第１電波インタフェースのためのリソースを用いて第１電波インタフェース上で通信すると同時に、前記第２電波インタフェースのために要求されたリソースの少なくとも一部を用いて前記第２電波インタフェース上で通信するための手段とを具備するシステム。
【請求項２５】
２つの電波インタフェースの間の競合を解決する方法を実行するための命令で符号化されたコンピュータチップであって、前記方法は、
第１電波インタフェース上で通信することと、
第２電波インタフェース上での通信における同時使用のためのリソースの要求を受信することと、
前記第１電波インタフェースのためのリソースと、前記第２電波インタフェースのために要求されたリソースの少なくとも一部との間に競合がないことを判定することと、
前記第１電波インタフェースのためのリソースを用いて前記第１電波インタフェース上で通信すると同時に、前記要求されたリソースの少なくとも一部を用いて前記第２電波インタフェース上で通信することとを含むコンピュータチップ。
【発明の詳細な説明】
【技術分野】
【０００１】
本開示は無線通信に関する。
【背景技術】
【０００２】
複数の電波インタフェース（air interface）上で通信することができるが、共有されたリソースを用いて、複数の電波インタフェース上で同時に通信することができない無線通信システムがある。したがって、複数の電波インタフェース上で同時に通信することができる無線通信システムに関する要望がある。
【発明の概要】
【０００３】
本発明のシステム、方法及び装置はそれぞれいくつかの態様を有し、その内のただ１つの態様が、その望ましい属性の責任を単独で負うものではない。後続する請求項によって表現される本発明の範囲を限定することなく、そのより顕著な特徴がここで簡潔に議論されるだろう。この議論を考慮した後、また特に「詳細な説明」と題されるセクションを読んだ後に、本発明の特徴が、複数の電波インタフェース上での同時通信を含む利点をどのように提供するかが理解されるだろう。
【０００４】
本開示の一態様は、２つの電波インタフェースの間での競合を解決する方法であって、第１電波インタフェース上で通信することと、第２電波インタフェース上での通信における同時使用のためのリソースの要求を受信することと、前記第１電波インタフェースのためのリソースと、前記第２電波インタフェースのために要求されたリソースの少なくとも一部との間に競合がないことを判定することと、前記第１電波インタフェースのためのリソースを用いて前記第１電波インタフェース上で通信すると同時に、前記第２電波インタフェースのために要求されたリソースの少なくとも一部を用いて前記第２電波インタフェース上で通信することとを具備する方法である。
【０００５】
本開示の別の態様は、２つの電波インタフェースの間の競合を解決する方法であって、第１周波数で通信することと、１以上の第２周波数を示すデータを受信することと、前記第２周波数の内のいずれが前記第１周波数の所定の帯域幅内にあるかを決定することと、第１周波数と、前記決定された第２周波数の内の少なくとも一部とで同時に通信することとを具備する方法である。
【０００６】
本開示の別の態様は、２つの電波インタフェースの間の競合を解決するための装置であって、第１電波インタフェース上で通信するように構成されるトランシーバと、第２電波インタフェース上での通信における同時使用のためのリソースの要求を受信し、前記第１電波インタフェースのためのリソースと、前記第２電波インタフェースのために要求されたリソースの少なくとも一部との間に競合がないことを判定するように構成されるプロセッサとを具備し、前記トランシーバはさらに、前記第１電波インタフェースのためのリソースを用いて前記第１電波インタフェース上で通信すると同時に、前記第２電波インタフェースのために要求されたリソースの少なくとも一部を用いて前記第２電波インタフェース上で通信するように構成される装置である。
【０００７】
本開示の別の態様は、２つの電波インタフェースの間の競合を解決するための装置であって、第１電波インタフェース上で通信するための手段と、第２電波インタフェース上での通信における同時使用のためのリソースの要求を受信するための手段と、前記第１電波インタフェースのためのリソースと、前記第２電波インタフェースのために要求されたリソースの少なくとも一部との間に競合がないことを判定するための手段と、前記第１電波インタフェースのためのリソースを用いて第１電波インタフェース上で通信すると同時に、前記第２電波インタフェースのために要求されたリソースの少なくとも一部を用いて前記第２電波インタフェース上で通信するための手段とを具備する装置である。
【０００８】
本開示のさらに別の態様は、２つの電波インタフェースの間の競合を解決する方法を実行するための命令で符号化されたコンピュータチップであって、前記方法は、第１電波インタフェース上で通信することと、第２電波インタフェース上での通信における同時使用のためのリソースの要求を受信することと、前記第１電波インタフェースのためのリソースと、前記第２電波インタフェースのために要求されたリソースの少なくとも一部との間に競合がないことを判定することと、前記第１電波インタフェースのためのリソースを用いて前記第１電波インタフェース上で通信すると同時に、前記第２電波インタフェースのために要求されたリソースの少なくとも一部を用いて前記第２電波インタフェース上で通信することとを含むコンピュータチップである。
【図面の簡単な説明】
【０００９】
【図１】図１は、２つの電波インタフェース上での同時通信に関わる無線通信デバイスを示す図である。
【図２Ａ】図２Ａは、無線通信デバイスの機能ブロック図である。
【図２Ｂ】図２Ｂは、無線通信デバイス内のリソースの代表的なブロック図である。
【図３】図３は、無線通信デバイスの受信器の機能ブロック図である。
【図４】図４は、無線通信デバイスの送信器の機能ブロック図である。
【図５】図５は、２つの電波インタフェースの間の競合を解決する方法を示すフローチャートである。
【図６】図６は、第１及び第２電波インタフェース上で通信する方法を示すフローチャートである。
【図７】図７は、２つの電波インタフェースの間のサービスに基づく競合の方法を示すフローチャートである。
【図８】図８は、競合を解決するためのモジュールの機能ブロック図である。
【発明を実施するための形態】
【００１０】
ここに記載された技術は、符号分割多重接続（ＣＤＭＡ）ネットワーク、時分割多重接続（ＴＤＭＡ）ネットワーク、周波数分割多重接続（ＦＤＭＡ）ネットワーク、直交ＦＤＭＡ（ＯＦＤＭＡ）ネットワーク、単一搬送波のＦＤＭＡ（ＳＣ−ＦＤＭＡ）ネットワーク等のような様々な無線通信ネットワークに使用され得る。「ネットワーク」及び「システム」という用語はしばしば交換可能に用いられる。ＣＤＭＡネットワークは、ユニバーサル地上波無線アクセス（ＵＴＲＡ）、ｃｄｍａ２０００等のような無線技術を実装し得る。ＵＴＲＡは広帯域ＣＤＭＡ（Ｗ−ＣＤＭＡ）及び低チップレート（ＬＣＲ）を含む。ｃｄｍａ２０００は、ＩＳ−２０００、ＩＳ−９５及びＩＳ−８５６規格をカバーする。ＴＤＭＡネットワークは、移動体通信のためのグローバルシステム（ＧＳＭ（登録商標））のような無線技術を実装し得る。ＯＦＤＭＡネットワークは、発展型ＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュＯＦＤＭ等のような無線技術を実装し得る。ＵＴＲＡ、Ｅ−ＵＴＲＡ及びＧＳＭは、ユニバーサル・モバイル・テレコミュニケーション・システム（ＵＭＴＳ）の一部である。長期発展型（ＬＴＥ）は、Ｅ−ＵＴＲＡを使用するＵＭＴＳの来たるリリースである。ＵＴＲＡ、Ｅ−ＵＴＲＡ、ＧＳＭ、ＵＭＴＳ及びＬＴＥは、「第三世代パートナーシッププロジェクト」（３ＧＰＰ）と名付けられた組織からの文書に記述される。ｃｄｍａ２０００は、「第三世代パートナーシッププロジェクト２」（３ＧＰＰ２）と名付けられた組織からの文書に記述される。これら各種の電波技術及び規格は当業者に知られている。
【００１１】
単一搬送波での変調と周波数領域での等化とに用いられる、単一搬送波の周波数分割多重接続（ＳＣ−ＦＤＭＡ）は、多重接続の技術である。ＳＣ−ＦＤＭＡシステムは、一般に、ＯＦＤＭＡシステムと同様の性能と、本質的に同じ全体の複雑さとを有する。ＳＣ−ＦＤＭＡ信号は、一般に、その固有の単一搬送波の構造のため、ＯＦＤＭＡ信号のピーク対平均電力比（ＰＡＰＲ）よりも低いピーク対平均電力比を有する。ＳＣ−ＦＤＭＡは、特に、より低いＰＡＰＲが、送信電力の効率の点からモバイル端末に非常に役立つアップリンク通信において、非常に注目される。それは３ＧＰＰの長期発展型（ＬＴＥ）又は発展型ＵＴＲＡにおいて、アップリンク多重接続スキームとして提案される。
【００１２】
図１は、２つの電波インタフェース上での同時通信に関わる無線通信デバイスを示す図である。各無線通信デバイス１０は、そのデバイス自体と１以上のアクセスポイント１３０との間で、第１電波インタフェース１１０と第２電波インタフェース１２０とを同時に確立することができる。一実施形態では、第１電波インタフェース１１０が、第１の周波数又は周波数帯域によって定義される第１チャネルで確立されるのに対して、第２電波インタフェース１２０は、第１の周波数又は周波数帯域とは異なる、第２の周波数又は周波数帯域によって定義される第２チャネルで確立される。
【００１３】
一実施形態では、第１電波インタフェース１１０は１ｘＲＴＴトラフィックをサポートし、第２電波インタフェース１２０はＥＶＤＯトラフィックをサポートする。１ｘ、１ｘＲＴＴ及びＩＳ−２０００としても知られる１ｘＲＴＴは、ワンタイム無線伝送技術の略語である。ＥＶ又はＤＯと略記されるＥＶＤＯは、Ｅｖｏｌｕｔｉｏｎ−Ｄａｔａ  Ｏｎｌｙの略語である。１ｘＲＴＴとＥＶＤＯの両方は、３ＧＰＰ２（第三世代パートナーシッププロジェクト）によって保守される、無線信号を介したデータの無線伝送のための電気通信規格であり、ＣＤＭＡ２０００（符号分割多重接続２０００）の一種と見なされる。
【００１４】
他の実施形態では、第１電波インタフェース１１０又は第２電波インタフェース１２０は、１ｘＡｄｖａｎｃｅｄ、ＤＯ（リリース０、リビジョンＡ又はＢ）、ＵＭＴＳ（ＨＳＰＡ＋）、ＧＳＭ（登録商標）、ＧＰＲＳ、及びＥＤＧＥ技術をサポートできる。
【００１５】
図２Ａは無線通信デバイスの機能ブロック図である。無線通信デバイス１０は、メモリ２２０、入力デバイス２３０及び出力デバイス２４０とデータ通信するプロセッサ２１０を含む。プロセッサは、さらに、モデム２５０及びトランシーバ２６０とデータ通信する。トランシーバ２６０も、モデム２５０及びアンテナ２７０とデータ通信する。別々に記述されたが、無線通信デバイス１０に関して記述された機能ブロックが、別個の構造要素である必要がないことが認識される。例えば、プロセッサ２１０及びメモリ２２０は単一のチップで実現され得る。同様に、プロセッサ２１０、モデム２５０及びトランシーバ２６０の内の２以上が、単一のチップで実現され得る。
【００１６】
プロセッサ２１０は、メインプロセッサ、デジタル信号プロセッサ（ＤＳＰ）、特定用途向け集積回路（ＡＳＩＣ）、フィールド・プログラマブル・ゲート・アレイ（ＦＰＧＡ）もしくはその他のプログラマブル論理デバイス、ディスクリート・ゲートもしくはトランジスタ・ロジック、ディスクリート・ハードウェア部品、又はここに記載された機能を実行するために設計された、それらのあらゆる適切な組合せでできる。プロセッサは、例えば、ＤＳＰとマイクロプロセッサとの組合せ、複数のマイクロプロセッサ、ＤＳＰコアと連動する１以上のマイクロプロセッサ、又は他のそのような構成であるコンピューティングデバイスの組合せとして実装され得る。
【００１７】
プロセッサ２１０は、メモリ２２０から情報を読み出し、メモリ２２０に情報を書き込むために、１以上のバス２１５を介して連結され得る。プロセッサは、加えて、又は代わりに、プロセッサレジスタのようなメモリを含み得る。メモリ２２０は、異なるレベルが異なる容量とアクセス速度とを有するマルチレベル階層キャッシュを含むプロセッサキャッシュを含むことができる。メモリ２２０は、ランダムアクセスメモリ（ＲＡＭ）、他の揮発性記憶装置、又は不揮発性記憶装置も含むことができる。記憶装置は、ハードドライブ、コンパクトディスク（ＣＤ）もしくはデジタルビデオディスク（ＤＶＤ）のような光ディスク、フラッシュメモリ、フロッピー（登録商標）ディスク、磁気テープ、及びジップドライブを含むことができる。
【００１８】
プロセッサ２１０は、それぞれ無線通信デバイス１０のユーザからの入力を受信し、ユーザに出力を提供する入力デバイス２３０及び出力デバイス２４０にも連結される。適切な入力デバイスは、キーボード、ボタン、キー、スイッチ、ポインティングデバイス、マウス、ジョイスティック、リモートコントロール、赤外線検出器、（おそらく、例えば手のジェスチャや顔のジェスチャを検出するためのビデオ処理ソフトウェアと結び付けられた）ビデオカメラ、動き検出器、又は（おそらく、例えば音声コマンドを検出するための音声処理ソフトウェアと結び付けられた）マイクロホンを含むが、それらに限定されない。適切な出力デバイスは、ディスプレイ及びプリンタを含む視覚的な出力デバイス、スピーカー、ヘッドホン、イヤホン及びアラームを含む音声出力デバイス、又は力をフィードバックするゲームコントローラ及び振動デバイスを含む触覚型の出力デバイスを含むが、それらに限定されない。
【００１９】
プロセッサ２１０は、さらに、モデム２５０及びトランシーバ２６０に連結される。モデム２５０及びトランシーバ２６０は、１以上の電波インタフェース規格に従って、アンテナ２７０を介した無線伝送のために、プロセッサ２１０によって生成されたデータを準備する。例えば、アンテナ２７０は、第１電波インタフェース１１０及び第２電波インタフェース１２０上での伝送を容易にし得る。モデム２５０及びトランシーバ２６０は、さらに、１以上の電波インタフェース規格に従ってアンテナ２７０を介して受信されたデータを復調する。トランシーバは送信器、受信器、又はその両方を含むことができる。他の実施形態では、送信器と受信器とは２つの別個のコンポーネントである。トランシーバ２６０は、第１トランシーバ２６１ａ及び第２トランシーバ２６１ｂを含むことができる。モデム２５０及びトランシーバ２６０は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）もしくは他のプログラマブル論理デバイス、ディスクリート・ゲートもしくはトランジスタ・ロジック、ディスクリート・ハードウェア部品、又はここに記載された機能を実行するために設計されたあらゆる適切な組合せとして実現できる。
【００２０】
図２Ｂは、無線通信デバイス内のリソースの代表的なブロック図である。上述のように、通信のためのリソースは、無線通信デバイス又はそのモジュールによって要求できる。要求されたリソースは、次のカテゴリの少なくとも１つからのリソースを含むことができる：ハードウェアリソース、無線周波数（ＲＦ）リソース及び電力リソース。ハードウェアリソースは、例えば、メモリのメモリ空間２２２、プロセッサの処理能力２１２、又は１以上のバス２１７の帯域幅を含む。ＲＦリソースは、例えば、受信器連鎖要素（chain component）２６２ａ、送信器連鎖要素２６２ｂ、アンテナ２７２、又は周波数割当て２５２を含む。電力リソースは、例えば、バッテリ電力２８２又は利用可能な送信電力２９２を含む。
【００２１】
図３は、無線通信デバイスの受信器の機能ブロック図である。図３は、図２のトランシーバ２７０で実現され得る典型的なコンポーネントを示す。アンテナ２７０で受信された信号は、低雑音増幅器３１０によって増幅される。特定の実施形態に応じて、増幅された信号は、ＳＡＷ（弾性表面波）フィルタ３２０を通過する。ＳＡＷフィルタは、圧電結晶又はセラミックで構成されるデバイス内で、電気信号が機械的な波動に変換される電気機械デバイスである。機械的波動は、電極によって電気信号に逆変換される前に、デバイスを横断して伝播するにつれて遅延する。遅延した出力は、有限インパルス応答フィルタの直接のアナログ実装を実現するために再結合される。そして、信号には、乗算器３３０で中心周波数が掛けられる。その後、ベースバンド信号は、アナログローパスフィルタ３４０を通過し、アナログ／デジタル変換器３５０でデジタル信号に変換され、デジタルローパスフィルタ３６０で再度フィルタリングされる。
【００２２】
そして、信号は複数のパスに分割される。各パスには、乗算器３７０によって異なる周波数が掛けられ、サンプラ３９０でサンプリングされる前に、適切なフィルタ３８０を通過する。復調、等化、ディインタリーブ、及び誤り訂正符号化を含むさらなる処理は、処理モジュール３９５又は図２のモデム２５０もしくはプロセッサ２１０で行うことができる。
【００２３】
図４は、無線通信デバイスの送信器の機能ブロック図である。図４は、図２のトランシーバ２６０で実現され得る追加の典型的なコンポーネントを示す。送信器の機能は、受信器の機能に類似しているが、逆である。特に、図２のプロセッサ２１０によって生成されるデータには、処理モジュール４９５、モデム２５０、又はプロセッサ２１０自体で予備処理が施され得る。各チャネルのデータは、乗算器４７０で変調される前に適切なフィルタ４８０を通過する。変調された搬送波は、デジタル／アナログ変換器４５０でアナログ信号に変換される前に加算器４５５で足し合わせられる。アナログ信号は、乗算器４３０で中心周波数に変調される前にアナログローパスフィルタ４４０を通過する。変調された信号は、アンテナ２７０を介した送信器である前に、任意でＳＡＷフィルタ４２０及び電力増幅器４１０を通過する。
【００２４】
図１について上述したように、無線デバイス１０は、第１電波インタフェース１１０と第２電波インタフェース１２０とを確立することができる。そのような無線デバイスは、２つの異なる技術（１ｘとＤＯのような）が同じ無線デバイスで同時に使用される、同時の音声及びデータサービスをサポートすることができる。理想的には、２つの電波インタフェース技術が、独立して、競合なしで動作するだろう。しかしながら、実用的なシステムでは、無線デバイスは、ある範囲までに能力を制限され得る。したがって、多くの場合、無線デバイスの制限は、競合を解決するために２つの技術の間の調停を要求することができる。
【００２５】
競合の解決における３つの目的は以下を含む：（１）第１電波インタフェースは第２電波インタフェースより高い優先度を与えられるべきである、（２）接続は不必要に中断されるべきでない、及び（３）アルゴリズムは単純であるべきである。各実施形態によってこれらの目的それぞれが達成される必要はなく、ある実施形態が、目的の内のいずれかを達成しないかもしれないことは理解されるだろう。図５は、２つの電波インタフェースの間の競合を解決する方法を示すフローチャートである。
【００２６】
プロセス５００は、第１電波インタフェース上での通信を備えるブロック５１０で始まる。第１電波インタフェースは、１ｘＲＴＴインタフェース、１ｘＡｄｖａｎｃｅｄインタフェース、１Ｘｔｒｅｍｅインタフェース、ＥＶＤＯインタフェース、ＥＶ−ＤＶインタフェース、ＣＤＭＡ２００インタフェース、ＤＯ（リリース０、リビジョンＡ又はＢ）インタフェース、ＵＭＴＳ（ＨＳＰＡ＋）インタフェース、ＧＳＭインタフェース、ＧＲＰＳインタフェース、ＥＤＧＥインタフェース、又は当業者に知られている他のあらゆるインタフェースであり得る。用語「周波数の電波インタフェース」は、離散的な周波数を表し得るが、当業者はその用語が、特定の周波数帯域又は周波数が規定されたデータチャネル上で確立される電波インタフェースをさらに包含することを理解されるだろう。図５に示されていないが、プロセス５００は、任意で、第１電波インタフェース上での通信と同時の第２電波インタフェース上での通信を含むこともできる。第１電波インタフェース（及び、任意で第２電波インタフェース）上での通信は、図１の無線デバイス１０によって行うことができる。あるいは、第１電波インタフェース上での通信は、図２のプロセッサ２１０、モデム２５０、トランシーバ２６０、又はアンテナ２７０内の少なくとも１つによって行うことができる。
【００２７】
プロセス５００は、第２電波インタフェース上での通信における同時使用のためのリソースの要求が受信されるブロック５２０を続ける。その要求は、外部で生じ、アンテナ２７０又は入力デバイス２３０を介して、図２の無線デバイス１０によって受信できる。リソースの要求は明示的である必要がないが、リソースを要求する関数が実行されることを要求してもよい。あるいは、その要求は無線デバイス１０内で生成され、プロセッサ２１０によって受信することができる。リソースの要求は、第２電波インタフェースが第２周波数で確立されることを要求するトラフィックチャネル割当て（ＴＣＡ）、第２周波数で確立された第２電波インタフェースを異なる第２周波数で再確立することを要求するトラフィックチャネル割当て、第１及び第２電波インタフェースを新たな周波数にハンドオフするための命令、周波数サーチを行うための命令、コールリダイレクション命令、又は第１又は第２電波インタフェース上でデータトラフィックを受信又は送信するための要求を含むことができる。
【００２８】
次に、判定ブロック５３０では、要求されたリソースを提供する際に、競合があるかどうかが判定される。この判定は、図２のプロセッサ２１０によって行うことができる。そのような競合は、第１電波インタフェース及び第２電波インタフェースの両方が同じリソースを要求するときに発生することがある。例えば、無線デバイスが、第１周波数の第１電波インタフェース上で通信している場合、モデム及び他のハードウェアは利用可能な周波数を制限し得る。利用可能な周波数の内の１つではない第２周波数の第２電波インタフェース上で通信するためには、第１周波数の第１電波インタフェース上での通信が中断されることになる。同様に、無線デバイスが第１送信電力で、第１電波インタフェース上で通信している場合、調整（regulations）又はハードウェアは送信のための総電力を制限し得る。第１電力と第２電力との和が最大許容電力より大きい場合に、第２電力で、第２電波インタフェース上で通信するためには、第１電波インタフェース上での通信が中断されることになる。
【００２９】
競合がある場合、プロセスはブロック５３５に移り、リソースの要求が拒否される。他の実施形態では、ブロック５３５でアクションが講じられず、リソースの要求は答えがないままである。別の実施形態では、ブロック５３５で、存在する第２電波インタフェースを閉じるような他のアクションが講じられる。競合がないと判定された場合、プロセス５００は、要求されたリソースを用いる第２電波インタフェース上での通信が、第１電波インタフェース上での通信と同時に起こるブロック５４０を続ける。上述のように、第２電波インタフェース上での通信は、図１の無線デバイス１０によって行うことができる 。あるいは、第２電波インタフェース上での通信は、図２のプロセッサ２１０、モデム２５０、トランシーバ２６０、又はアンテナ２７０の内の少なくとも１つによって行うことができる。別の実施形態では、無線デバイスは、第２電波インタフェースに用いる専用の第２のモデム、トランシーバ又はアンテナの内の少なくとも１つを有する。
【００３０】
このように、競合は、システムで利用可能な帯域幅に基づいて発生することがある。ある無線デバイスでは、伝送は中心周波数に関する帯域幅に制限される。これらの制限は、ハードウェアの制限から、又は管理上の（governmental）調整によって起こり得る。伝送の絶対的な帯域幅は中心周波数によって予め決定される。例えば、第１電波インタフェースが４５０ＭＨｚの中心周波数で確立される場合、無線デバイスは４４５ＭＨｚと４５５ＭＨｚとの間の信号を伝送することのみができ得る一方で、第１電波インタフェースが７００ＭＨｚで確立される場合、無線デバイスは６９５ＭＨｚと７０５ＭＨｚとの間の信号を伝送することのみができ得る。両方の場合において、最大サポート帯域幅は１０ＭＨｚである。
【００３１】
帯域幅は、上記の第１電波インタフェースの中心周波数を中心とするが、これは必ずしもそうとは限らない。例えば、最大サポート帯域幅が１０ＭＨｚである場合、別の実施形態では、第１電波インタフェースが８００ＭＨｚで確立され得、無線デバイスは、７９８ＭＨｚと８０８ＭＨｚとの間の信号を伝送することのみができ得る。
【００３２】
２つの電波インタフェース技術から生じる、様々な異なる競合に対して見込まれる解決が以下に記載される。１ｘとＤＯは例として用いられるが、そのアイデアが一般に他の技術への同様の応用であることは当業者によって理解されるだろう。
【００３３】
ＤＯリビジョンＢでは、アクセス端末は、シングルキャリアモードとマルチキャリアモードの両方で動作することができ、しかしながら、モデム及びＲＦカードに依存する最大サポート帯域幅の制約によって、全てのＤＯリビジョンＢの搬送波が、特定周波数での１ｘを同時にサポートできるとは限らない。
【００３４】
第１電波インタフェースが第１周波数で確立され、無線デバイスが第２電波インタフェースを確立しようとするとき、競合が発生し得る。無線デバイスは、第２電波インタフェースのために、アクセス端末に第２周波数を割り当てるアクセスネットワークから、トラフィックチャネル割当て（ＴＣＡ）を受信する。第２周波数が第１周波数に関する最大サポート帯域幅内である場合、接続は正常に確立することができる。第２周波数が最大サポート帯域幅外である場合、第１電波インタフェースを中断することなく、接続を確立することはできない。この場合、無線デバイスはＴＣＡを破棄する（又は無視する）。無線デバイスは、ＣｏｎｎｅｃｔｉｏｎＣｌｏｓｅコマンドを送ることによって接続を閉じるために、第２周波数上でアクセスネットワークに一時的に接続する必要があり得る。
【００３５】
第１電波インタフェースが第１周波数で確立され、第１周波数の最大サポート帯域幅内の第２周波数で第２電波インタフェースが確立され、第２電波インタフェースのための新たな第２周波数を割り当てるアクセスネットワークから、無線デバイスが新たなトラフィックチャネル割当てを受信する場合にも、競合が発生することがある。新たな第２周波数が第１周波数に関する最大サポート帯域幅内にまだある場合、無線デバイスは、新しい割り当てを受諾し、正常に進む。新たな第２周波数が第１周波数に関する最大サポート帯域幅外である場合、チャネル割当ては破棄され、無線端末は、元の第２周波数を介したアクセスネットワークとの接続を閉じる。一実施形態では、ＣｌｏｓｅＲｅａｓｏｎ＝‘０１０’（接続エラー）を備えるＣｏｎｎｅｃｔｉｏｎＣｌｏｓｅコマンドが送信される。
【００３６】
このように、ＤＯリビジョンＢでは、アクセス端末は、シングルキャリアモードとマルチキャリアモードとの両方で動作することができる。上記の競合はシングルキャリアモードで発生するが、マルチキャリアモードで同一又は異なる競合が発生し得る。１つの潜在的な競合の原因は、第１周波数で第１電波インタフェースが既に確立されていて、無線デバイスが第２電波インタフェースを確立しようとするときである。無線デバイスは、第２電波インタフェースのために、アクセス端末に第２周波数のセットを割り当てるアクセスネットワークから、トラフィックチャネル割当て（ＴＣＡ）を受信する。第２周波数のセットのいずれも第１周波数の最大サポート帯域幅内にない場合、無線デバイスはＴＣＡを破棄する。無線デバイスは、ＣｏｎｎｅｃｔｉｏｎＣｌｏｓｅコマンドを送信することによって接続を閉じるために、第２周波数の内の１つでアクセスネットワークに一時的に接続する必要があり得る。
【００３７】
第２周波数の内の少なくとも１つが第１周波数の最大サポート帯域幅内にある場合、無線デバイスは、１以上のそれら第２周波数上で第２電波インタフェースを確立することができる。一実施形態では、第２電波インタフェースを確立するため、第１周波数の最大サポート帯域幅内の第２周波数の内の１つだけが、無線デバイスによって選択される。優先権は、トラフィック中であるいずれかの搬送波に最初に与えられ、次いで制御チャネルに、次いで報告可能な（reportable）搬送波、次いで最も高いリバース・チャネル・ドロッピング・ランクを有する搬送波に与えられる。関係（ties）はランダムに断つことができる。
【００３８】
競合の別の原因は、第１周波数で第１電波インタフェースが確立され、第１周波数の最大サポート帯域幅内の第２周波数で第２電波インタフェースが確立され、無線デバイスが、第２電波インタフェースに対して複数の新たな第２周波数を割り当てるアクセスネットワークから新しいトラフィックチャネル割当てを受信するときである。第２周波数のセットのいずれも第１周波数の最大サポート帯域幅内にない場合、無線デバイスはＴＣＡを破棄し、確立された接続を閉じる。無線デバイスは、ＣｌｏｓｅＲｅａｓｏｎ＝‘０１０’（接続エラー）を備えるＣｏｎｎｅｃｔｉｏｎＣｌｏｓｅコマンドを送信し得る。以前に確立された第２周波数が複数の新たな第２周波数に含まれている場合、無線デバイスはその第２周波数を維持する。無線デバイスは、他の新たな第２周波数のため、ＲｅａｓｏｎＣｏｄｅ＝‘０ｘ０’（ヘッドルーム制限）を備えるＲｅｖｅｒｓｅＣＤＭＡＣｈａｎｎｅｌＤｒｏｐｐｅｄメッセージを送信することができる。
【００３９】
以前に確立された第２周波数が複数の新たな第２周波数に含まれていないが、新たな第２周波数の内の他の少なくとも１つが第１周波数の最大サポート帯域幅内にある場合、無線デバイスは、１以上のそれら第２周波数上で第２電波インタフェースを確立できる。一実施形態では、第１周波数の最大サポート帯域幅内にある第２周波数の内の１つだけが、第２電波インタフェースの確立のため、無線デバイスによって選択される。優先権は、トラフィック中であるいずれかの搬送波に最初に与えられ、次いで制御チャネル搬送波、次いで報告可能な搬送波、次いで最も高いリバース・チャネル・ドロッピング・ランクを有する搬送波に与えられる。関係はランダムに断つことができる。
【００４０】
第２電波インタフェースが複数の第２周波数で確立され、無線デバイスが、第１周波数で好ましい電波インタフェースを確立しようとするとき、競合がさらに発生することがある。複数の第２周波数のいずれも第１周波数の最大サポート帯域幅内にない場合、無線デバイスは第２電波インタフェースを閉じるべきである。無線デバイスは、ＣｌｏｓｅＲｅａｓｏｎ＝‘０１０’（接続エラー）を備えるＣｏｎｎｅｃｔｉｏｎＣｌｏｓｅコマンドを送信することができる。複数の第２周波数の内の少なくとも１つが第１周波数の最大サポート帯域幅内にある場合、無線デバイスはそれら第２周波数の内の少なくとも１つを維持するべきである。一実施形態では、複数の第２周波数の内の１つだけが維持されるために選択される。優先権は、トラフィック中であるあらゆる搬送波に最初に与えられ、次いで制御チャネル搬送波、次いで報告可能な搬送波、次いで最も高いリバース・チャネル・ドロッピング・ランクを有する搬送波に与えられる。関係はランダムに断つことができる。
【００４１】
上述のように、競合はトラフィックチャネル割当てから発生する場合がある。競合は、さらに、ハードハンドオフ、候補周波数サーチ（ＣＦＳ）、及びオフ周波数サーチ（ＯＦＳ）から発生する場合がある。ある場合には、電波インタフェースの内の１つが最大サポート帯域幅外になり得る。
【００４２】
第１電波インタフェースが第１周波数で確立され、第２電波インタフェースが、第１周波数の最大サポート帯域幅内の第２周波数で確立され、周波数間のハードハンドオフが、新たな第１周波数を指定する第１電波インタフェースのために引き起こされる場合、競合が発生することがある。第２周波数が新たな第１周波数の最大サポート帯域幅内にある場合、無線デバイスは第２周波数で第２電波インタフェースを維持し、ハードハンドオフを行う。第２周波数が新たな第１周波数の最大サポート帯域幅外である場合、無線デバイスは第２電波インタフェースを閉じ、ハードハンドオフを行う。無線デバイスは、ＣｏｎｎｅｃｔｉｏｎＦａｉｌｕｒｅＲｅａｓｏｎ＝‘０ｘ１’（離れた調整（tune away）による接続失敗）を記録できる。第２電波インタフェースを閉じた後に、無線デバイスは、第２電波インタフェースのためにハイブリッドモード代替オペレーション（ＨＭＡ）と同様に動作し得る。無線デバイスは、第１周波数の最大サポート帯域幅内の新たな第２周波数で第２電波インタフェースを再確立し得る。
【００４３】
第１電波インタフェースが第１周波数で確立され、第２電波インタフェースが、第１周波数の最大サポート帯域幅内の第２周波数で確立され、周波数間のハードハンドオフが、新たな第２周波数を指定する第２電波インタフェースのために引き起こされる場合、競合がさらに発生することがある。新たな第２周波数が第１周波数の最大サポート帯域幅内にある場合、無線デバイスは、第１周波数で第１電波インタフェースを維持し、ハードハンドオフを行う。新たな第２周波数が第１周波数の最大サポート帯域幅外にある場合、無線デバイスは第２電波インタフェースを閉じる。無線デバイスは、ＣｌｏｓｅＲｅａｓｏｎ＝‘０１０’（接続エラー）を備えるＣｏｎｎｅｃｔｉｏｎＣｌｏｄｅメッセージを提出することができる。
【００４４】
第１電波インタフェースが第１周波数で確立され、第２電波インタフェースが第２周波数で確立される場合、無線デバイスは第１電波インタフェースの候補周波数サーチを開始し得る。いずれの場合も、第２電波インタフェースは維持される。最大サポート帯域幅外の候補周波数に離れて調整することによって、第２電波インタフェースのトラフィック中に割込みがあり得る。
【００４５】
同様に、第１電波インタフェースが第１周波数で確立され、第２電波インタフェースが第２周波数で確立されるとき、無線デバイスは、新たな第２周波数の第２電波インタフェースのための１以上のオフ周波数サーチを開始し得る。オフ周波数サーチが、第１周波数の最大サポート帯域幅内の新たな第２周波数を示す場合、そのサーチが行われる。１つのオフ周波数サーチが、最大サポート帯域幅外の新たな第２周波数を示す場合、そのサーチは行われない。ある実施形態では、第１電波インタフェースは、いずれの場合もＨＭＡ動作毎に維持される。
【００４６】
コールリダイレクションも競合の原因になり得る。無線デバイスがＦ−ＣＳＣＨもしくはＦ−ＤＳＣＨ上での第１インタフェース、又はＦ−ＤＳＣＨ上でのＧＳＲＤＭ／ＥＧＳＲＤＭのために、サービスリダイレクションメッセージ（ＳＲＤＭ）を受信する場合、無線デバイスはＩＳ−２０００で指定されるようなメッセージに作用し得る。一旦無線デバイスがメッセージに作用すれば、ターゲットシステム上のシステム取得状態に入る。
【００４７】
第１電波インタフェースに関連する第１周波数と、第２電波インタフェースに関連する第２周波数との間のチャネル間隔が最大サポート帯域幅より大きい場合、無線デバイスはレガシーハイブリッドモードで動作でき、２つのインタフェースの同時確立は利用できない。チャネル間隔が最大サポート帯域幅未満である場合、無線デバイスは２つのインタフェースを同時に確立することができる。
【００４８】
基地局から無線デバイスによって受信することができるリダイレクションメッセージは、無線デバイスによる使用のための１以上の周波数を記述する。無線デバイスが第２インタフェース上で「リダイレクト」メッセージを受信するとき、リストされたチャネルすべてが第１インタフェースの最大サポート帯域幅外になる場合、無線デバイスは第２電波インタフェースを閉じ、リダイレクトを試みないだろう。リダイレクトメッセージの少なくとも１つのチャネルが第１周波数の最大サポート帯域幅内にある場合、無線デバイスはそのチャネル上に第２電波インタフェースを確立するだろう。
【００４９】
上記の帯域幅に基づく競合の解決方法の多くは、一般化された競合の解決スキームに該当する。図６は、第１及び第２電波インタフェース上で通信する方法を示すフローチャートである。プロセス６００は、第１周波数の第１電波インタフェース上での通信を備えるブロック６１０で始まる。図５のブロック５１０について記載されたように、第１電波インタフェースは、１ｘＲＴＴインタフェース、１ｘＡｄｖａｎｃｅｄインタフェース、１Ｘｔｒｅｍｅインタフェース、ＥＶＤＯインタフェース、ＥＶ−ＤＶインタフェース、ＣＤＭＡ２００インタフェース、ＤＯ（リリース０、リビジョンＡ又はＢ）インタフェース、ＵＭＴＳ（ＨＳＰＡ＋）インタフェース、ＧＳＭインタフェース、ＧＰＲＳインタフェース、ＥＤＧＥインタフェース、又は当業者に既知の他のインタフェースであり得る。用語「周波数の電波インタフェース」は、離散的な周波数を表し得るが、当業者はその用語が、特定の周波数帯域又は周波数が規定されたデータチャネル上で確立される電波インタフェースをさらに包含することを理解されるだろう。図６に示されていないが、プロセス６００は、任意で、第１電波インタフェース上での通信と同時の第２電波インタフェース上での通信を含むことができる。第１電波インタフェース（及び、任意で第２電波インタフェース）上での通信は、図１の無線デバイス１０によって行うことができる。あるいは、第１電波インタフェース上での通信は、図２のプロセッサ２１０、モデム２５０、トランシーバ２６０、又はアンテナ２７０の内の少なくとも１つによって行うことができる。
【００５０】
プロセス６００は、第２電波インタフェースのための１以上の第２周波数を示すデータの受信を備えるブロック６２０を続ける。そのデータは、外部で生じ、アンテナ２７０を介して、図２の無線デバイス１０によって受信される。データは、第２電波インタフェースが第２周波数で確立されることを要求するトラフィックチャネル割当て（ＴＣＡ）、第２周波数で既に確立された第２電波インタフェースを異なる第２周波数で再確立することを要求するトラフィックチャネル割当て、確立された第２電波インタフェースを新たな周波数にハンドオフするための命令、周波数サーチを行うための命令、又はコールリダイレクション命令を含むことができる。一実施形態では、１つの第２周波数だけが示される。しかしながら、他の実施形態では、２以上の第２周波数が示される。例えば、ＴＣＡは複数の搬送波（multi-carrier）であり得、第２電波インタフェースのための多くの第２周波数を指定し得る。
【００５１】
次に、ブロック６３０では、もしあれば、１以上の第２周波数の内のいずれが第１周波数の所定の帯域幅内にあるかを決定する。その決定は、図２のプロセッサ２１０によってなすことができる。上述のように、帯域幅はハードウェアと第１周波数とに基づいて予め決定され得る。他の実施形態では、帯域幅は管理上の調整に基づいて予め決定され得る。一旦、帯域幅を有する第２周波数のセット（空であり得る）が決定されれば、プロセス６００は判定ブロック６４０に移る。
【００５２】
例えば、ある無線デバイスでは、伝送は中心周波数に関する帯域幅に制限される。伝送の絶対的な帯域幅は中心周波数によって予め決定される。例えば、第１電波インタフェースが４５０ＭＨｚの中心周波数で確立される場合、無線デバイスは４４５ＭＨｚと４５５ＭＨｚとの間の信号を伝送することのみができ得る一方で、第１電波インタフェースが７００ＭＨｚで確立される場合、無線デバイスは６９５ＭＨｚと７０５ＭＨｚとの間の信号を伝送することのみができ得る。両方の場合において、最大サポート帯域幅は１０ＭＨｚである。したがって、第１周波数が７００ＭＨｚである場合、ブロック６４０において、６９５ＭＨｚと７０５ＭＨｚとの間の１以上の第２周波数が決定され得る。
【００５３】
所定の帯域幅内に第２周波数がなかった場合、プロセスは判定ブロック６４０から、第２電波インタフェースが閉じられるブロック６４５に移る。ある実施形態では、第２電波インタフェース上での制限された通信が、接続を閉じるために起こり得る。他の実施形態では、第２周波数が所定の帯域幅内になかったという決定に基づいて、他の動作が講じられる。一実施形態では、第２周波数が所定の帯域幅内になかったという決定に基づいて動作が講じられず、処理が終了する。
【００５４】
所定の帯域幅内に第２周波数があった場合、プロセスは、判定ブロック６４０から、所定の帯域幅内の第２周波数の内の少なくとも１つが選択されるブロック６５０を続ける。選択は、図２のプロセッサ２１０、モデム２５０、又はトランシーバ２７０によって行うことができる。選択は、単一の第２周波数、複数の第２周波数、又は所定の帯域幅内のすべての第２周波数でさえ含むことができる。１つの第２周波数だけが所定の帯域幅内にあるとき、選択は本質的に（inherently）行われる。一実施形態では、第２周波数の内の１つは特定の基準に基づいて選択される。優先権は、トラフィック中であるいずれかの搬送波に最初に与えられ、次いで制御チャネル搬送波、次いで報告可能な搬送波、次いで最も高いリバース・チャネル・ドロッピング・ランクを備える搬送波に与えられる。関係はランダムに断つことができる。
【００５５】
一旦、所定の帯域幅内の第２周波数の内の１以上が選択されたならば、ブロック６６０において、第１電波インタフェース上での通信と同時に、選択された第２周波数の第２電波インタフェース上での通信が生じる。これは新たな接続を確立すること、又は既存の接続の周波数を変更することを含み得る。第２電波インタフェース上での通信は、単に周波数サーチを行うための情報を受信することを含み得る。
【００５６】
ある実施形態では、第１電波インタフェースは音声トラフィックをサポートし、第２電波インタフェースはデータトラフィックをサポートする。ある実施形態では、第１電波インタフェースは音声トラフィックのみをサポートし、第２電波インタフェースはデータトラフィックのみをサポートする。ある実施形態では、第１電波インタフェースは音声及びデータトラフィックをサポートし、第２電波インタフェースはデータトラフィックだけをサポートする。これらの実施形態の内のいくつかでは、しかしながら、第１電波インタフェースは第２電波インタフェースと同様にデータトラフィックをサポートしない。したがって、ある実施形態では、第１と第２の両方の電波インタフェースが確立されるとき、第１インタフェースに関連したデータサービスは抑制される。
【００５７】
図７は電波インタフェース上で通信する方法を示すフローチャートである。プロセス７００は、第１電波インタフェース上での音声トラフィックの通信を備えるブロック７１０で始まる。プロセス７００は、第１電波インタフェース上でデータトラフィックを伝送するための要求の受信を備えるブロック７２０を続ける。そのような要求は、図２の通信デバイス１０外で生じ得、アンテナ２７０又は入力デバイス２３０を介して通信デバイス１０によって受信され得る。例えば、その要求は、３ＧＰＰ２によって標準化されたサービスオプション（ＳＯ）３３、ＳＯ４／ＳＯ１２、ＳＯ５／ＳＯ１３、ＳＯ７／ＳＯ１５、又はＳＯ２２／ＳＯ２５のためのページであり得る。その要求は、さらに、ＳＯ３３、ＳＯ３２、ＳＯ４／ＳＯ１２、ＳＯ５／ＳＯ１３、ＳＯ７／ＳＯ１５、又はＳＯ２２／ＳＯ２５のための呼び出し（call）のように、無線デバイス１０内から生じ得る。
【００５８】
ブロック７２０において、一旦、要求が受信されたならば、ブロック７３０において、第２電波インタフェースが確立されているかどうかが決定される。第２電波インタフェースは、音声トラフィックとは対照的に、データトラフィックの通信に、より適し得る。第２電波インタフェースが確立されている場合、プロセス７００は、要求が拒否されるブロック７４５に移る。他の実施形態では、リソースの要求は、単に答えがないままであり得る。他の実施形態では、接続を閉じること及び／又はエラーメッセージを送信することのような、いくつかの他の動作が講じられる。第２電波インタフェースが確立されていないことが決定された場合、プロセス７００は、第１インタフェース上でのデータトラフィックの伝送が生じるブロック７４０を続ける。
【００５９】
図７について記述されたように、第２電波インタフェースが確立されている場合、第１インタフェース上でのデータトラフィックの伝送は遮断される。他の実施形態では、データトラフィックが第１電波インタフェース上で既に通信されている場合、第２電波インタフェースの確立が阻まれる。したがって、データトラフィックは両方のインタフェースで伝送されない。
【００６０】
図８は競合を解決するためのモジュールの機能ブロック図である。そのようなモジュールは、ソフトウェア、ファームウェア、ハードウェア、又はそれらのある組合せで実現することができる。モジュールは、図６、７及び８について上述されたプロセス６００、７００、８００の内の少なくとも１つをそれぞれ行うように構成することができる。モジュール８００は、入力としてリソース要求を受信し、チャネル間隔情報及び／又はチャネル・ドロッピング・ランクをさらに受信することができる。チャネル間隔情報は、最大サポート帯域幅又は他の周波数情報を含むことができる。モジュール８００からの出力は、競合の解決である。この解決は、第２電波インタフェースを確立するための又は閉じるための命令を含むことができる。この解決は、さらに、リソース要求が拒否される場合、リソース要求を拒否する情報を含むことができ、また単に何も出力しないことができる。
【００６１】
明細書は本発明の具体例を記述しているが、当業者は発明概念から外れずに、本発明の変形を考案することができる。当業者は、情報及び信号が、様々な異なる技術及び技法のうちの任意の１つを用いて表され得ることを理解するであろう。例えば、上記記載を通して参照され得るデータ、命令、コマンド、情報、信号、ビット、記号、及びチップは、電圧、電流、電磁波、磁界あるいは磁気粒子、光場あるいは光粒子、又はそれらの任意の組合せによって表され得る。
【００６２】
当業者はさらに、ここに開示された例に関連して記載された、実例となる様々な論理ブロック、モジュール、回路、方法、及びアルゴリズムが、電子工学的ハードウェア、コンピュータソフトウェア、又はそれらの組合せとして実現されうることをよく理解するであろう。ハードウェアとソフトウェアとの相互置換性を明確に説明するために、様々な実例となる構成要素、ブロック、モジュール、回路、方法、及びアルゴリズムが、それらの機能の観点から一般的に説明された。このような機能が、ハードウェアとして実現されるかソフトウェアとして実現されるかは、システム全体に課された設計制約及び特定のアプリケーションによる。当業者は、各特定のアプリケーションのために上述した機能を様々な方法で実現することができるが、このような実現の決定は、本発明の範囲から逸脱させるものとして解釈されてはならない。
【００６３】
ここに開示された例に関連して記載された様々な例示的論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）もしくはその他のプログラマブル論理デバイス、ディスクリート・ゲートもしくはトランジスタ・ロジック、ディスクリート・ハードウェア部品、又はここに記載された機能を実行するために設計された上記何れかの組み合わせを用いて実装又は実行され得る。汎用プロセッサはマイクロプロセッサであり得るが、代わりに、従来技術によるプロセッサ、コントローラ、マイクロコントローラ、又は状態機器を用いることも可能である。プロセッサは、さらに、例えばＤＳＰとマイクロプロセッサとの組み合わせ、複数のマイクロプロセッサ、ＤＳＰコアに接続された１以上のマイクロプロセッサ、又はこのような任意の構成であるコンピューティングデバイスの組み合わせとして実装され得る。
【００６４】
ここに開示された例に関連して記述された方法やアルゴリズムは、ハードウェアによって直接、プロセッサによって実行されるソフトウェアモジュールによって、又は、この２つの組み合わせによって実現され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該技術分野で知られるあらゆる他の形式の記憶媒体内にあり得る。記憶媒体は、プロセッサが記憶媒体から情報を読み出し、また記憶媒体に情報を書き込むことができるように、プロセッサに結合され得る。代わりに、記憶媒体はプロセッサに統合され得る。このプロセッサと記憶媒体とは、ＡＳＩＣ内に存在することができる。ＡＳＩＣは、ユーザ端末内に存在してもよい。
【００６５】
１つ又は複数の典型的な設計では、説明された機能は、ハードウェア、ソフトウェア、ファームウェア、又はそれら任意の組み合わせによって実装され得る。ソフトウェアによって実装される場合、機能は、コンピュータ読み取り可能な媒体上の１以上の命令又はコードとして格納又は送信され得る。コンピュータ読み取り可能な媒体は、１つの場所から別の場所へのコンピュータ・プログラムの転送を容易にする任意の媒体を含む通信媒体及びコンピュータ記憶媒体の両方を含む。記憶媒体は、汎用又は特定用途向けのコンピュータによってアクセスできる任意の利用可能な媒体であり得る。限定ではなく一例として、そのようなコンピュータ読み取り可能な媒体は、ＲＡＭ、ＲＯＭ、ＥＥＰＲＯＭ、ＣＤ−ＲＯＭもしくはその他の光ディスク記憶媒体、磁気ディスク記憶媒体もしくはその他の磁気記憶媒体、又は、汎用もしくは特定用途向けのコンピュータによってアクセス可能であり、命令又はデータ構造の形式で望まれるプログラム・コードを搬送又は格納するために用いられることができるその他任意の媒体を備えることができる。また、任意の接続が、コンピュータ読み取り可能媒体と適切に称される。例えば、ソフトウェアが、ウェブサイト、サーバ、又は、同軸ケーブル、光ファイバーケーブル、ツイストペア、デジタル加入者線（ＤＳＬ）、もしくは赤外線、無線、及びマイクロ波のような無線技術を用いるその他の遠隔ソースから送信される場合、同軸ケーブル、光ファイバーケーブル、ツイストペア、ＤＳＬ、又は、赤外線、無線、及びマイクロ波のような無線技術は、媒体の定義内に含まれる。ここで用いられるディスク（disk）及びディスク（disc）は、コンパクト・ディスク（disc）（ＣＤ）、レーザーディスク（登録商標）（disc）、光ディスク（disc）、デジタル・バーサタイル・ディスク（disc）（ＤＶＤ）、フロッピーディスク（disk）、及びブルーレイ（登録商標）・ディスク（disc）を含み、ディスク（disk）は通常データを磁気的に再生するのに対し、ディスク（disc）はレーザによって光学的にデータを再生する。上記の組み合わせも、コンピュータ読み取り可能な媒体の範囲内に含まれるべきである。
【００６６】
開示された例における上記記載は、当業者に、本願発明の製造又は利用を可能とするために提供される。これらの例への様々な変形例は、当業者に容易に明らかであり、ここで定義された一般原理は、本発明の精神又は範囲から逸脱することなく他の例に適用されうる。したがって本発明は、ここに示された例に限定することは意図されておらず、ここに開示された原理及び新規な特徴と整合が取れた最も広い範囲と一致するように意図されている。
【図１】
2014042280.tif 000003
【図２Ａ】
2014042280.tif 000004
【図２Ｂ】
2014042280.tif 000005
【図３】
2014042280.tif 000006
【図４】
2014042280.tif 000007
【図５】
2014042280.tif 000008
【図６】
2014042280.tif 000009
【図７】
2014042280.tif 000010
【図８】
2014042280.tif 000011
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
２つの電波インタフェースの間での競合を解決する方法であって、
第１電波インタフェース上で通信することと、
第２電波インタフェース上での通信における同時使用のための電力リソースの要求を受信することと、
前記第１電波インタフェースのためのリソースと、前記第２電波インタフェースのための前記要求された電力リソースの少なくとも一部との間に競合がないことを判定することと、
前記第１電波インタフェースのためのリソースを用いて前記第１電波インタフェース上で通信すると同時に、前記第２電波インタフェースのための前記要求された電力リソースの少なくとも一部を用いて前記第２電波インタフェース上で通信することとを具備する方法。
【請求項２】
前記第１電波インタフェースは音声トラフィックをサポートし、前記第２電波インタフェースはデータトラフィックをサポートする請求項１記載の方法。
【請求項３】
前記第１電波インタフェースは音声インタフェースであり、前記第２電波インタフェースはデータのみのインタフェースである請求項１記載の方法。
【請求項４】
前記第２電波インタフェース上での通信における同時使用のための無線周波数リソースの要求を受信することをさらに具備し、前記無線周波数リソースの要求は、トラフィックチャネルの割り当て、ハンドオフのための命令、周波数サーチを行うための命令、コールリダイレクション命令、データトラフィックを受信するための要求、又はデータトラフィックを送信するための要求の内の少なくとも１つを含む請求項１記載の方法。
【請求項５】
前記第２電波インタフェース上での通信における同時使用のためのハードウェアリソースの要求を受信することをさらに具備する請求項１記載の方法。
【請求項６】
前記ハードウェアリソースは、メモリのメモリ空間、プロセッサの処理能力、又は１以上のバスの帯域幅の内の少なくとも１つを含む請求項５記載の方法。
【請求項７】
前記電力リソースの要求は、バッテリ電力の要求を含む請求項５記載の方法。
【請求項８】
前記電力リソースの要求は、利用可能な送信電力のリクエストを含む請求項５記載の方法。
【請求項９】
第１電波インタフェース上で通信するように構成されるトランシーバと、
第２電波インタフェース上での通信における同時使用のための電力リソースの要求を受信し、前記第１電波インタフェースのためのリソースと、前記第２電波インタフェースのための前記要求された電力リソースの少なくとも一部の間に競合がないことを判定するように構成されるプロセッサとを具備し、
前記トランシーバはさらに、前記第１電波インタフェースのためのリソースを用いて前記第１電波インタフェース上で通信すると同時に、前記第２電波インタフェースのための前記要求された電力リソースの少なくとも一部を用いて前記第２電波インタフェース上で通信するように構成される装置。
【請求項１０】
前記トランシーバは、前記第１電波インタフェース上で通信するように構成される第１トランシーバと、前記第２電波インタフェース上で通信するように構成される第２トランシーバとを含む請求項９記載の装置。
【請求項１１】
前記トランシーバは、第１周波数の前記第１電波インタフェース上で通信するように構成され、前記第１周波数の所定の帯域幅内の第２周波数の前記第２電波インタフェース上で通信するように構成される請求項９記載の装置。
【請求項１２】
前記プロセッサは、前記第２電波インタフェース上での通信に先立って、第２周波数が前記第１周波数の所定の帯域幅内にあるか否かを判定するように構成される請求項１１記載の装置。
【請求項１３】
前記プロセッサは、さらに、トラフィックチャネルの割り当て、ハンドオフのための命令、周波数サーチを行うための命令、コールリダイレクション命令、データトラフィックを受信するための要求、又はデータトラフィックを送信するための要求の内の少なくとも１つを含む無線周波数リソースの要求を受信するように構成される請求項９記載の装置。
【請求項１４】
前記プロセッサは、さらに、ハードウェアリソースの要求を受信するように構成される請求項９記載の装置。
【請求項１５】
前記電力リソースの要求は、バッテリ電力の要求を含む請求項２０記載の装置。
【請求項１６】
前記電力リソースの要求は、利用可能な送信電力の要求を含む請求項９記載の装置。
【請求項１７】
２つの電波インタフェースの間の競合を解決するための装置であって、
第１電波インタフェース上で通信するための手段と、
第２電波インタフェース上での通信における同時使用のための電力リソースの要求を受信するための手段と、
前記第１電波インタフェースのためのリソースと、前記第２電波インタフェースのための前記要求された電力リソースの少なくとも一部との間に競合がないことを判定するための手段と、
前記第１電波インタフェースのためのリソースを用いて前記第１電波インタフェース上で通信すると同時に、前記第２電波インタフェースのための前記要求された電力リソースの少なくとも一部を用いて前記第２電波インタフェース上で通信するための手段とを具備する装置。
【請求項１８】
２つの電波インタフェースの間の競合を解決する方法を実行するための命令で符号化されたコンピュータチップであって、前記方法は、
第１電波インタフェース上で通信することと、
第２電波インタフェース上での通信における同時使用のための電力リソースの要求を受信することと、
前記第１電波インタフェースのためのリソースと、前記第２電波インタフェースのための前記要求された電力リソースの少なくとも一部との間に競合がないことを判定することと、
前記第１電波インタフェースのためのリソースを用いて前記第１電波インタフェース上で通信すると同時に、前記要求された電力リソースの少なくとも一部を用いて前記第２電波インタフェース上で通信することとを含むコンピュータチップ。
【請求項１９】
前記プロセッサは、さらに、
前記第２電波インタフェース上での通信における同時使用のための無線周波数（ＲＦ）リソースの要求を受信し、
前記要求されたＲＦリソースが、前記第１電波インタフェースのサポートされた帯域幅の外側の周波数チャネルに対応するかどうかを判定するように構成される請求項９記載の装置。
【請求項２０】
前記トランシーバは、さらに、前記要求されたＲＦリソースが、前記第１電波インタフェースのサポートされた帯域幅の外側の周波数チャネルに対応するとの決定に応じて、ハイブリッドモードで動作するように構成される請求項１９記載の装置。
【請求項２１】
ハイブリッドモード動作の間に、前記トランシーバは、前記第１電波インタフェース上での通信と前記第２電波インタフェース上での通信とを選択的に切り替える請求項２０記載の装置。
【請求項２２】
前記トランシーバは、さらに、前記要求されたＲＦリソースが、前記第１電波インタフェースのサポートされた帯域幅の外側の周波数チャネルに対応しないとの決定に応じて、前記サポートされた帯域幅内の第１周波数の前記第１電波インタフェース上と、前記サポートされた帯域幅内の第２周波数の前記第２電波インタフェース上とで同時に通信するように構成される請求項１９記載の装置。
【請求項２３】
音声トラフィックは、前記第１電波インタフェース上で通信され、
前記プロセッサは、さらに、
前記第１電波インタフェース上でデータトラフィックを通信するための要求を受信し、
前記第２電波インタフェースが、前記第１電波インタフェースよりも、前記データトラフィックの通信に適しているかどうかを判定し、
前記第２電波インタフェースが前記データトラフィックの通信により適しているとの決定に応じて、前記第１電波インタフェース上でデータトラフィックを通信するための要求を拒否するように構成される請求項９記載の装置。
【手続補正２】
【補正対象書類名】明細書
【補正対象項目名】００６６
【補正方法】変更
【補正の内容】
【００６６】
開示された例における上記記載は、当業者に、本願発明の製造又は利用を可能とするために提供される。これらの例への様々な変形例は、当業者に容易に明らかであり、ここで定義された一般原理は、本発明の精神又は範囲から逸脱することなく他の例に適用されうる。したがって本発明は、ここに示された例に限定することは意図されておらず、ここに開示された原理及び新規な特徴と整合が取れた最も広い範囲と一致するように意図されている。
以下に、本願出願時の特許請求の範囲に記載された発明を付記する。
［１］２つの電波インタフェースの間での競合を解決する方法であって、
第１電波インタフェース上で通信することと、
第２電波インタフェース上での通信における同時使用のためのリソースの要求を受信することと、
前記第１電波インタフェースのためのリソースと、前記第２電波インタフェースのために要求されたリソースの少なくとも一部との間に競合がないことを判定することと、
前記第１電波インタフェースのためのリソースを用いて前記第１電波インタフェース上で通信すると同時に、前記第２電波インタフェースのために要求されたリソースの少なくとも一部を用いて前記第２電波インタフェース上で通信することとを具備する方法。
［２］前記第１電波インタフェースは音声トラフィックをサポートし、前記第２電波インタフェースはデータトラフィックをサポートする［１］記載の方法。
［３］前記第１電波インタフェースは音声インタフェースであり、前記第２電波インタフェースはデータのみのインタフェースである［１］記載の方法。
［４］前記リソースの要求は、トラフィックチャネルの割り当て、ハンドオフのための命令、周波数サーチを行うための命令、コールリダイレクション命令、データトラフィックを受信又は送信するための要求の内の少なくとも１つを含む［１］記載の方法。
［５］前記要求されたリソースは、ハードウェアリソース、無線周波数リソース、又は電力リソースの内の少なくとも１つを含む［１］記載の方法。
［６］前記要求されたリソースは、メモリのメモリ空間、プロセッサの処理能力、又は１以上のバスの帯域幅の内の少なくとも１つを含む［５］記載の方法。
［７］前記要求されたリソースは、受信器連鎖要素、送信器連鎖要素、アンテナ、又は周波数割当ての内の少なくとも１つを含む［５］記載の方法。
［８］前記要求されたリソースは、バッテリ電力又は利用可能な送信電力の内の少なくとも１つを含む［５］記載の方法。
［９］２つの電波インタフェースの間の競合を解決する方法であって、
第１周波数で通信することと、
１以上の第２周波数を示すデータを受信することと、
前記１以上の第２周波数の内のいずれが前記第１周波数の所定の帯域幅内にあるかを決定することと、
前記第１周波数と、前記決定された第２周波数の内の少なくとも一部とで同時に通信することとを具備する方法。
［１０］前記決定された第２周波数の内の少なくとも１つを選択することをさらに具備し、前記決定された第２周波数の内の少なくとも一部で通信することは、前記選択された第２周波数で通信することを含む［９］記載の方法。
［１１］２つの電波インタフェースの間の競合を解決するための装置であって、
第１電波インタフェース上で通信するように構成されるトランシーバと、
第２電波インタフェース上での通信における同時使用のためのリソースの要求を受信し、前記第１電波インタフェースのためのリソースと、前記第２電波インタフェースのために要求されたリソースの少なくとも一部との間で競合がないことを判定するように構成されるプロセッサとを具備し、
前記トランシーバはさらに、前記第１電波インタフェースのためのリソースを用いて前記第１電波インタフェース上で通信すると同時に、前記第２電波インタフェースのために要求されたリソースの少なくとも一部を用いて前記第２電波インタフェース上で通信するように構成されるシステム。
［１２］前記トランシーバは、前記第１電波インタフェース上で通信するように構成される第１トランシーバと、前記第２電波インタフェース上で通信するように構成される第２トランシーバとを含む［１１］記載の装置。
［１３］前記プロセッサは、前記プロセッサ、アンテナ、トランシーバ、モデム、又は入力デバイスの内の少なくとも１つのためのリソースの要求を受信するように構成される［１１］記載の装置。
［１４］前記トランシーバは、前記第１又は第２電波インタフェース上で通信するため、プロセッサによって構成される［１１］記載の装置。
［１５］前記トランシーバは、第１周波数の前記第１電波インタフェース上で通信するように構成され、前記第１周波数の所定の帯域幅内の第２周波数の前記第２電波インタフェース上で通信するように構成される［１１］記載の装置。
［１６］前記プロセッサは、前記第２電波インタフェース上での通信に先立って、第２周波数が前記第１周波数の所定の帯域幅内にあるか否かを判定するように構成される［１５］記載の装置。
［１７］前記第１電波インタフェースは音声トラフィックをサポートし、前記第２電波インタフェースはデータトラフィックをサポートする［１１］記載の装置。
［１８］前記第１電波インタフェースは音声インタフェースであり、前記第２電波インタフェースはデータのみのインタフェースである［１１］記載の装置。
［１９］前記リソースの要求は、トラフィックチャネルの割り当て、ハンドオフのための命令、周波数サーチを行うための命令、コールリダイレクション命令、データトラフィックを受信又は送信するための要求の内の少なくとも１つを含む［１１］記載の装置。
［２０］前記要求されたリソースは、ハードウェアリソース、無線周波数リソース、又は電力リソースの内の少なくとも１つを含む［１１］記載の装置。
［２１］前記要求されたリソースは、メモリのメモリ空間、プロセッサの処理能力、又は１以上のバスの帯域幅の内の少なくとも１つを含む［２０］記載の装置。
［２２］前記要求されたリソースは、受信器連鎖要素、送信器連鎖要素、アンテナ、又は周波数割当ての内の少なくとも１つを含む［２０］記載の装置。
［２３］前記要求されたリソースは、バッテリ電力又は利用可能な送信電力の内の少なくとも１つを含む［２０］記載の装置。
［２４］２つの電波インタフェースの間の競合を解決するための装置であって、
第１電波インタフェース上で通信するための手段と、
第２電波インタフェース上での通信における同時使用のためのリソースの要求を受信するための手段と、
前記第１電波インタフェースのためのリソースと、前記第２電波インタフェースのために要求されたリソースの少なくとも一部との間に競合がないことを判定するための手段と、
前記第１電波インタフェースのためのリソースを用いて第１電波インタフェース上で通信すると同時に、前記第２電波インタフェースのために要求されたリソースの少なくとも一部を用いて前記第２電波インタフェース上で通信するための手段とを具備するシステム。
［２５］２つの電波インタフェースの間の競合を解決する方法を実行するための命令で符号化されたコンピュータチップであって、前記方法は、
第１電波インタフェース上で通信することと、
第２電波インタフェース上での通信における同時使用のためのリソースの要求を受信することと、
前記第１電波インタフェースのためのリソースと、前記第２電波インタフェースのために要求されたリソースの少なくとも一部との間に競合がないことを判定することと、
前記第１電波インタフェースのためのリソースを用いて前記第１電波インタフェース上で通信すると同時に、前記要求されたリソースの少なくとも一部を用いて前記第２電波インタフェース上で通信することとを含むコンピュータチップ。
【外国語明細書】
2014042280000001.pdf